(57)【要約】【課題】バイスの挟み部材を磁化すること、フライフックを仮留めして後に適正な位置や向きに設定してフライを挟み留められるタイイングバイスを提供する。【解決手段】支柱５に保持基部６を取り付けた後部に回転つまみ８を、対向側に回転基部１０を位置させた二つの部材を、前記保持基部６を介して軸棒１１で可動連結して成る回転基部１０に、２枚を一組とする可変連結板１３，１３を可動止した他方端部に、挟み部材１６として、磁石１９付き軸挟み体１７と可動挟み体２２二つを組み合わせた間にバネ２０を介在させた中ほどにゴム輪２３を嵌め、該ゴム輪２３の前部と後部に二つの調節ネジ２１を取り付けた挟み部材１６を前記可変連結板１３に可動軸止する。【選択図】図１
2005143487.tif 000002
【特許請求の範囲】
【請求項１】
支柱の上端部に取り付けた保持基部の後部に回転つまみを、前部に回転基部を位置させた二つの部材を前記保持基部を介して軸棒で可動連結した回転基部に、磁性素材で形成される軸挟み体と可動挟み体の間にバネを介在させるとともに磁石を設けて成る挟み部材の中ほどにゴム輪を取り付け、該ゴム輪の前部と後部に調節ネジを取り付けた挟み部材の後端部に取り付けた連結軸棒を、前記した回転基部に可動軸止して成る構成を特徴とするフライタイイング用バイス。
【請求項２】
回転基部と連結軸棒の連結手段が、２枚を一組とする可変連結板で可動軸止して成る請求項１に記載するフライタイイング用バイス。
【請求項３】
挟み部材の間に位置したバネに代えて、軸挟み体と可動挟み体それぞれの挟み面に、二つの磁石の同一磁極面を対向して設けて成る請求項１又は請求項２に記載するフライタイイング用バイス。
【請求項４】
回転基部の先端部にピン穴を設けて成る請求項１〜請求項３のいずれかに記載するフライタイイング用バイス。
【請求項５】
回転基部に保持コイルを設けて成る請求項１〜請求項４のいずれかに記載するフライタイイング用バイス。
【発明の詳細な説明】
【技術分野】
【０００１】  本発明は、フライフィッシング用のフライを製作する際に、バイスの先端のジョーと称される挟持部を磁化することでフライフックを磁着し、かつその挟み部材を上下にリンクさせられるとともにセンター出しも容易に行えるフライタイイング用バイスに関する。
【背景技術】
【０００２】  従来、釣りに用いるフライを製作する際には、フライフックを専用のタイイングバイスに挟み留めてから、鳥の羽根や獣毛などのマテリアル（材料）とスレッドを用いて水棲昆虫などに模したフライと称される擬似餌鉤を製作をするのが一般的である。そのフライ製作に用いるタイイングバイスには様々なタイプがあるが、バイスのジョーと称される先端部の挟み面に大中小の溝を設けることで、大きさの異なるフライフックでも的確に挟み留められるフライタイイングバイスの技術がある。（例えば、特許文献１参照）
【特許文献１】特開２００１−１１２３９４号公報（第２−３頁、図５）
【発明の開示】
【発明が解決しようとする課題】
【０００３】  上記する特開２００１−１１２３９４号公報に開示される技術は、フライタイイング時に用いるバイスとしての一定の機能は果たしている。しかし実際に使用するにおいては次のような不便や欠点がある。まず、バイス本体の相対する一対の挟持片のいずれか一方の挟持面に軸径の異なるフライフックが嵌合する複数の嵌合溝を設けているが、それぞれ溝幅や長さは限定されることになるため、大きさや形の異なる全てのフライフックを適正に挟み留めることはできない。また溝とフライフックが強制的な位置関係となる場合があるため、フックに傷を付けたり損傷を与えることも起こる。【０００４】  さらに一対の挟持片の開閉操作は、バイス本体に組み合わせた保持部材を操作レバーによりスライドさせながら調節する方式であるため、フライフックをジョーに固定する場合は、一方の手でフライフックを持ちながら他方の手で操作レバーを動かして挟み留めなければならないため、初心者はもとより慣れた者でもフライフックを適正な位置や向きに挟み留めるには慎重に行わないと難しい。またジョーに挟み留めるフライフックのセンター出しを行う手段も備えていないため、精密なフライタイイング作業が行えないなど機能的なバイスとは言えない技術である。
【課題を解決するための手段】
【０００５】  以上のような課題を解決するために請求項１においては、台座の支柱に取り付けた保持基部の後部に回転つまみを、前部に回転基部を位置させた二つの部材を前記保持基部を介して軸棒で可動連結した回転基部に、磁性素材で形成される軸挟み体と可動挟み体の間にバネを介在させるとともに磁石を設けて成る挟み部材の中ほどにゴム輪を嵌め、該ゴム輪の前部と後部に二つの調節ネジを取り付けた挟み部材の後端部に取り付けた連結軸棒を、前記した回転基部に可動軸止して成るフライタイイング用バイスを構成する。【０００６】  請求項２においては、前記請求項１に記載した回転基部と連結軸棒の連結手段が、２枚を一組とする可変連結板で可動軸止したフライタイイング用バイスとする。【０００７】  請求項３においては、上記した挟み部材の間に位置したバネに代えて、軸挟み体と可動挟み体それぞれの挟み面に二つの磁石の同一磁極面を対向して設けることにより、磁力の反発によるバネ作用が得られるものとする。【０００８】  請求項４においては、上記した回転基部の先端部にピン穴を設けることにより、フライフックを挟み留める際のセンター出しが行えるものとする。【０００９】  請求項５においては、上記する回転基部に保持コイルを設けることにより、マテリアルやスレッドを仮留めできるフライタイイング用バイスとする。
【発明の効果】
【００１０】  この発明におけるフライ製作用のタイイングバイスは、磁性素材で形成される挟み部材の一部に磁石を設けてジョーを磁化することにより、フライフックを本固定する前に仮留めめすることができるため、あらかじめ任意の位置や角度に磁着設定することができる。また本固定する際でも指先で保持する必要がないので初心者や慣れない者でも適正な固定作業ができる。特につまみにくい小さなフライフックの場合はその効果は大きい。さらに磁着したまま固定できるのでフライフックを損傷したりする心配もない。また固定手段として二つの調節ネジを設けているので、フライフックの大小や形状に係らず適圧でかつ微妙な締め付を行うことも可能である。【００１１】  さらに挟み部材を形成する二つの挟み体の間にはバネを設けてジョーの開放を容易としているが、実施例２タイプの挟み部材は、二つの挟み体それぞれの面に二つの磁石の同一磁極面を対向位置させているので、挟み体の磁化はもとより、磁石の反発によるバネ作用の相乗効果も得られるユニークにして機能的な挟み部材を形成する。【００１２】  加えて挟み部材と回転基部の連結は、２枚一組とする可変連結板で可動軸止したリンク機構を採用しているため、ジョーの角度を一定の状態でリンクできるとともに、固定されたフライフックの角度を変えることなく平行移動することも可能となるため、複雑な作業を行わないでも素早く理想的な位置に移動して調整できる。またフライフックを回転中心軸上に設定することもきわめて容易に行える。さらに回転基部に設けたピン穴にセンターピンを取り付けると、バイスの回転軸の中心線上にセンター出しが初心者でも容易に行えるなど、前記の効果と合わせて従来には見られない機能性と精度の高いフライ製作が可能となるタイイングバイスを提供する。
【発明を実施するための最良の形態】
【００１３】  タイイングバイスの要部となるフライフックの挟み部材を磁性体の金属素材で形成し、その挟み部材を形成する挟み体に磁石を設けてジョーを磁化することで、フライフックを磁着して仮留めした後に適正な位置や向きにフライフック設定してから固定できる挟み部材とするとともに、その挟み部材を上下にリンクし、かつフライフックのセンター出しが容易に行えるタイイングバイスを構成する。
【実施例１】
【００１４】  本発明のタイイングバイスを、図１に示す一部省略した斜視図と図に２に示す回転つまみの正面図と図３に示す挟み部材の横断面図、図４に示す挟み部材の使用状態の平面図及び図５のセンター出し状態を示す側面図と図６の挟み部材のリンク状態を示す側面図を参照して説明する。【００１５】  本発明によるタイイングバイス１は、一定の大きさで適度な重さを有する台座２の一方端部に設けた固定ネジ３付き軸管４を設け、その軸管４に一定の長さの支柱５を取り付けて成る上端部に軸穴付き保持基部６を取り付け、その保持基部６の後方側には補助つまみ７付き回転つまみ８を位置し、他方の対向側には先端にピン穴９を有する回転基部１０を位置して成る二つの部材を、前記保持基部６の軸穴を介して軸棒１１で連結して回転自在とする前記保持基部６の側部に、軸棒１１の締め付け用の固定ネジ１２を設ける。【００１６】  次に保持基部６の前部に取り付けた回転基部１０の両側には、一定の長さで２枚を一組とする可変連結板１３，１３の一方端部それぞれを止めネジ１４，１４もって可動軸止し、その前部寄りの止めネジ１４の両側には、フライタイイング時に用いるスレッドやマテリアルを仮留め止めできる保持コイル１５の両端部を取り付ける。【００１７】  さらに前記回転基部１０に取り付けた２枚一組とする可変連結板１３，１３の他方端部には、磁性金属素材による挟み部材１６として、図２に示すように二つの部材による一方の軸挟み体１７は後端部にボルト１８を有し、かつ挟み面の中ほどの凹部に磁石１９を、その前部寄りの凹部にはコイル状のバネ２０を位置した軸挟み体１７とし、それに組み合わされる可動挟み体２２の前部には単なる穴を介して軸挟み体１７にネジ留めする調節ネジ２１を、後部は可動挟み体２２のネジ穴を介して調節ネジ２１ａを取り付けた可動挟み体２２と前記軸挟み体１７を組み合わせた中ほどに、ゴム輪２３を嵌めて成る挟み部材１６を形成した前記軸挟み体１７のボルト１８を連結軸棒２４を介した端部に固定キャップ２５を取り付け、さらにその連結軸棒２４の他方端部を、前記回転基部１０の両側に可動軸止して成る左右の可変連結板１３，１３の間に収めて可動軸止したフライタイイング用バイスを構成する。【００１８】  以上のようなタイイングバイス１を構成するので、まず回転つまみ８を回すとそれに連動して回転基部１０を回すことができるため、回転基部１０に連結されている挟み部材１６も自在に回転させられる。さらに磁性体で形成される挟み部材１６の軸挟み体１７には磁石１９を設けているので、ジョーＡと称される先端部も磁化されるととにより、挟み留めるのが難しい小さなフライフックＢでも図４に示すように磁着して仮留めして後、適正な位置や向きにジョーＡを設定して容易に挟み留められる。また挟み部材１６は軸挟み体１７と可動挟み体２２を組み合わせた中ほどにゴム輪２３を取り付け、かつその前後部にはジョーの開閉ができる二つの調節ネジ２１，２１ａを備えているので、ジョーＡに挟み留めるフライフックＢの大きさや形状に応じて、ゴム輪２３を支点として前後部の調節ネジ２１，２１ａの締め付け具合により均一の圧でフライフックＢを挟み留められる。【００１９】  加えて、回転基部１０にはピン穴９を設けているので、フライフックＢのセンター出しの場合は図５に示すようにセンターピンＣを取り付けることで容易に行える。また回転基部１０と挟み部材１６の連結は２枚一組とする可変連結板１３，１３と連結軸棒２４をもって可動軸止しているため、図６に示すように挟み部材１６を平行にして上下に素早くリンクさせることも簡単に行える。
【実施例２】
【００２０】  実施例２による挟み部材を図７に示す横断面図を参照して説明する。実施例１における挟み部材１６は、軸挟み体１７と可動挟み体２２の間にコイル状のバネ２０を介在させることでジョーＡと称される先端部を広げる作用を成しているが、実施例２による挟み部材１６は、互いに向かい合う軸挟み体１７と可動挟み体２２それぞれの挟み面に設けた同位置の凹部に、ＮとＮ極又はＳとＳ極など同一磁極面を向かい合わせて二つの磁石１９，１９を設けた挟み部材１６を構成する。【００２１】  本実施例における挟み部材１６は、軸挟み体１７と可動挟み体２２の挟み面それぞれに２個の磁石１９，１９の同極面を対向させて位置させているので、実施例１同様にジョーＡを磁化するとともに、軸挟み体１７と可動挟み体２２に設けた二つの磁石１９，１９による反発作用により、実施例１に示したようなバネ２０が無くても挟み部材１６のジョーＡを広げる作用を成す。【００２２】  本発明における挟み部材１６はフライフックＢを磁着させる必要から磁性素材で形成される挟み体に磁石１９を取り付けているが、挟み部材１６そのものを磁化素材で形成してもよく、いずれも特に限定するものではない。
【産業上の利用可能性】
【００２３】  本発明のタイイングバイスは釣りに用いる機能的なフライ製作用のバイスであるが、他の用途として模型製作や小物品加工用のバイスとしても適用できる。
【図面の簡単な説明】
【００２４】
【図１】  実施例１のタイイングバイスを示す一部省略した斜視図である。
【図２】  回転つまみ部を示す正面図である。
【図３】  挟み部材部分をを示す拡大横断面図である。
【図４】  挟み部材部分の使用状態を示す拡大平面図である。
【図５】  フライフックのセンター出し状態を示す参考図である。
【図６】  挟み部材のリンク状態を示す参考図である。
【図７】  実施例２の挟み部材を示す拡大横断面図である。
【符号の説明】
【００２５】１  タイイングバイス
２  台座
３  固定ネジ
４  軸管
５  支柱
６  保持基部
７  補助つまみ
８  回転つまみ
９  ピン穴
１０  回転基部
１１  軸棒
１２  締め付けネジ
１３  可変連結板
１４  止めネジ
１５  保持コイル
１６  挟み部材
１７  軸挟み体
１８  ボルト
１９  磁石
２０  バネ
２１  調節ネジ
２１ａ  調節ネジ
２２  可動挟み体
２３  ゴム輪
２４  連結軸棒
２５  固定キャップ
Ａ  ジョー
Ｂ  フライフック
Ｃ  センターピン
【図１】
2005143487.tif 000003
【図２】
2005143487.tif 000004
【図３】
2005143487.tif 000005
【図４】
2005143487.tif 000006
【図５】
2005143487.tif 000007
【図６】
2005143487.tif 000008
【図７】
2005143487.tif 000009